(57)【特許請求の範囲】
【請求項１】
肌に接して着用される股部を有する衣料において、衣料本体を構成する伸縮性第１クロッチ部片の内側面に、吸収性物品を当てがって保持するための第２クロッチ部片が設けられており、前記第２クロッチ部片は、少なくとも長手方向に伸縮性であって、少なくとも長手方向中央ライン部の長さが所定の長さより短い部片からなり、当該短くされた部分が引き伸ばされて、第２クロッチ部片の前後端縁部が衣料本体に取り付けられ、且つその長手方向中央ライン部上の１箇所または２箇所で部分的に衣料本体の第１クロッチ部片に取付られており、前記長手方向中央ライン部上の１箇所または２箇所に部分的に取付けられている部分のクロッチ部片長手方向における長さが、合計１〜３０ｍｍであり、前記第２クロッチ部片の左右の両脇縁部は衣料本体と結合していないフリーの状態である股部構造を有する衣料。
【請求項２】
第２クロッチ部片が、長手方向中央ライン部の長さ及び左右の両脇縁部の長さがともに所定の長さより短い部片からなり、前記部片の長手方向中央ライン部と左右の両脇縁部が引き伸ばされて衣料本体に取り付けられている請求項１に記載の衣料。
【請求項３】
第２クロッチ部片の所定の長さより短い部分の長さが、所定の長さの９０％〜９７％である請求項１または２のいずれかに記載の衣料。
【請求項４】
第２クロッチ部片における、前記長手方向中央ライン部上の１箇所または２箇所の部分的に取付けられている取付け部分のクロッチ部片長手方向における長さが、１箇所につき１〜１０ｍｍである請求項１〜３のいずれかに記載の衣料。
【請求項５】
第２クロッチ部片における、前記長手方向中央ライン部上の１箇所または２箇所の部分的に取付けられている部分が、長手方向中央ラインに対し横方向に向かっている取り付け部である請求項１〜４のいずれかに記載の衣料。
【請求項６】
長手方向中央ラインに対し横方向に向かっている取り付け部の横方向の長さが、合計１〜２０ｍｍである請求項５に記載の衣料。
【請求項７】
長手方向中央ラインに対し横方向に向かっている取り付け部の横方向の長さが、１箇所につき１〜１０ｍｍである請求項５〜６のいずれかに記載の衣料。
【請求項８】
第１クロッチ部片または第２クロッチ部片のいずれか一方が、その長手方向中央ライン部に沿ってストレッチテープが取り付けられており、前記ストレッチテープは、当該クロッチ部片の長手方向中央ライン部の長さより短いストレッチテープが引き伸ばされて当該クロッチ部片にギャザーを付して取り付けられている請求項１〜７のいずれかに記載の衣料。
【請求項９】
第１クロッチ部片が、長手方向中央ライン部に沿ってストレッチテープが取り付けられており、前記ストレッチテープは、第１クロッチ部片の長手方向中央ライン部の長さより短いストレッチテープが引き伸ばされて第１クロッチ部片にギャザーを付して取り付けられている請求項１〜７のいずれかに記載の衣料。
【請求項１０】
吸収性物品が生理用ナプキンである請求項１〜９のいずれかに記載の衣料。
【請求項１１】
衣料が、ショーツ、ガードル、ボディスーツ、レオタードから選ばれた衣料である請求項１〜１０のいずれかに記載の衣料。
【発明の詳細な説明】
【０００１】
【発明の属する技術分野】
本発明は、生理用ナプキン、失禁パッドなどの吸収性物品を股部に安定的にかつ確実に保持させるための股部構造を有する衣料に関する。
【０００２】
【従来の技術】
生理用ナプキン、失禁パッドなどの吸収性物品は、経血、尿などの体液を吸収するための衛生用品として広く用いられている。例えば、生理用ナプキンを代表例として説明すると、生理用ナプキンについては、ショーツなどの股部を有する衣料のクロッチ部分に安定的かつ容易に装着できるように種々の改良が加えられており、最近では、図２４に示すように、ナプキン本体２０１の左右両側に折り返し片２０２、２０２（以下、この部分をウィングと称することがある。）が設けられ、これら折り返し片２０２、２０２に、保護用剥離フィルム（図示省略）で被覆された接着部２０３、２０３がそれぞれ設けられているものが一般的である。
【０００３】
このような従来のナプキンは、図２５に示すように、ショーツ本体２０５のクロッチ部２０６の内側にナプキン本体２０１を当てがい、ウィング２０２、２０２をショーツ本体２０５の外側に折り重ねるとともに前記保護用剥離フィルムを接着部２０３、２０３からそれぞれ取り外し、接着部２０３、２０３によって両ウィング２０２、２０２をそれぞれクロッチ部２０６の外面に接着するようになっている。
【０００４】
これによって、ナプキンがショーツ本体２０５のクロッチ部２０６に安定的かつ確実に保持されるようになっている。
【０００５】
しかしながら、上記した従来の生理用ショーツなどの股部を有する生理用衣料では、ナプキンのウィング２０２、２０２がショーツ本体２０５の外側に露出した状態となるため、見栄えが悪いと言う問題がある。
【０００６】
なお、生理用ナプキンを代表例として取り上げ説明しているが、経血以外の、尿、その他の排出された体液を吸収するための失禁用パッド、その他の吸収性物品についても図２４に示したナプキンのようなウィング付きの失禁用パッドやその他の吸収性物品も考えられ、このような想定されるウィング付きの吸収性物品を使用する場合についても、同様のことが考えられる。以下、代表例として生理用ナプキンを用いた場合を例にとって説明する。
【０００７】
そこで、このような問題を解決するものとして、例えば実用新案登録第３００２６０７号公報に記載されているような生理用ショーツが提案されている。
【０００８】
この生理用ショーツは、その要部斜視図を図２６に示したようにショーツ本体２１１のクロッチ部２１２の内側面に防水布２１３を配置し、この防水布２１３の前後両端２１４、２１５及びこの前後両端近傍の左右両脇縁部２１６、２１７をショーツ本体２１１と縫着させるが、防水布２１３の左右の両脇縁部２１８はショーツ本体２１１と縫着せずに遊離させた構造となっている。つまり、ナプキンの両ウィング２０２、２０２を防水布２１３とショーツ本体との縫着していない股部２１２の間に折り込み、この折り込んだウィング２０２、２０２を防水布２１３の裏面に接着するようになっている。
【０００９】
このように、従来の生理用ショーツは、ナプキンのウィング２０２、２０２を防水布２１３の裏面側に折り返すことによって、ナプキンのウィング２０２、２０２がショーツ本体の外側に露出しないようにしている。
【００１０】
しかしながら、このような従来の生理用ショーツにおいては、ウィング付きナプキンを取り付け易くする工夫がなされておらず、ショーツ本体２１１のクロッチ部２１２と防水布２１３の間の空間が狭く、ナプキンのウィングを折り返してナプキンを取り付ける作業がしにくく、また、ナプキンの両ウィング２０２、２０２の接着部２０３、２０３を防水布２１３の裏面に直接接着しているので、ナプキンの取替えや、ショーツの洗濯の際に、ナプキンを剥がすことになるが、ナプキンの両ウィング２０２、２０２が頻繁に剥がされることによって、接着部の接着力により防水布２１３の防水性樹脂コーティングも剥がされてしまい、防水性が低下して漏れを生じるといった問題がある。また、従来の生理用ショーツでは、防水布に装着されたナプキンの人体股間部への密着性についてはあまり考慮されていない。
【００１１】
そこでこれらの問題を解消するために、例えば実用新案登録第３０４７１２６号公報に記載されているような生理用ショーツが提案されている。
【００１２】
上記ショーツの股部近傍を内側から見た平面図を図２７に、前記図２７のＡ―Ａ´ラインにおける断面略図を図２８に、そして図２７ならびに図２８の２２５の生理用ナプキン保持布片（第２のクロッチ部片）のみの詳細断面図を図２９に示した。図２７〜図２９に示されている生理用ショーツの股部の構造は次のようである。
【００１３】
この生理用ショーツは、ショーツ本体の前身頃２２２、後身頃２２３、及び前身頃２２２の下端部と後身頃２２３の下端部とを接合する股部分である第１のクロッチ部片２２４で構成されている。そして、第１のクロッチ部片２２４に、ナプキン（図２４参照）を当てがって保持するための保持布片２２５（第２のクロッチ部片）を取り付けるとともに、この第２のクロッチ部片２２５と第１のクロッチ部片２２４との間であって幅方向の中央部に、第２のクロッチ部片２２５及び第１のクロッチ部片２２４よりも細幅でかつ長さの若干短いストレッチテープ２２６を取付けたものである。第２のクロッチ部片２２５は、図２９に示すように、肌に直接当たる伸縮性の網織布２２５ｅと、防水布２２５ｆと、ナプキンの左右のウィング２０２、２０２が当接する伸縮性の網織布２２５ｇとからなる３層構造となっており、その全体がクロッチ部片２２４の形状にほぼ一致した形状となっている。また、肌に直接当たる伸縮性の網織布２２５ｅと防水布２２５ｆとは、全体的に接着（ラミネート）されて一体化されており、これら網織布２２５ｅ及び防水布２２５ｆと網織布２２５ｇとは、その全周縁が縫着されて一体化されている。
【００１４】
このように、伸縮性の網織布２２５ｇを防水布２２５ｆの裏当布として取り付けることにより、ナプキンの左右のウィング２０２、２０２に設けられた接着部２０３、２０３が、防水布２０５ｆに直接接着しないようにしている。この構造とすることにより、ナプキンの左右のウィング２０２、２０２が頻繁に剥がされることによって、接着部２０３、２０３の接着力により防水布２２５ｆの防水性樹脂コーティングも剥がされてしまい防水性が低下して漏れを生じないようにされている。
【００１５】
更にストレッチテープ２２６の後端縁２２６ｂが、第１のクロッチ部片２２４の後端縁２２４ｂと共に後身頃２２３の下端部に縫着されている。また、第２のクロッチ部片２２５の左右両脇縁２２５ｃ、２２５ｄは、第１のクロッチ部片２２４に対して未縫着の開放縁となっている。また、ストレッチテープ２２６も同様に、その左右両脇縁２２６ｃ、２２６ｄは、第１のクロッチ部片２２４に対して未縫着の開放縁となっている。すなわち第２のクロッチ部片２２５もストレッチテープ２２６もその前後端縁２２５ａ、２２５ｂ、２２６ａ、２２６ｂのみでショーツ本体に取り付けられている。
【００１６】
【発明が解決しようとする課題】
しかしながら、図２６に示した生理用ショーツや図２７〜図２９で説明したような生理用ショーツはいずれも股部に防水布２１３や防水布２２５ｆの如く、樹脂などで液体非透過性コーティング処理された防水布を用いることが必要である。しかし、防水布を用いると蒸れやすくなり、痒みなどが生じやすく、したがって着用感が悪いという問題がある。このように防水布を用いなければならないのは、これらの生理用ショーツにおいても、陰裂部への生理用ナプキンのフィット性がまだ不充分であり、着用中の着用者の動きによって、生理用ナプキンの位置が陰裂部上の所定位置からずれた場合に経血が漏れて、アウターウェアーなどを汚す恐れがあるからである。すなわち図２６に示した生理用ショーツや図２７〜図２９で説明したような生理用ショーツにおいてはいずれも防水布２１３や第２のクロッチ部片２２５は、前述した如く、左右両脇縁部２１８や２２５ｃ、２２５ｄは、衣料本体のクロッチ部片２１２や２２４に対して未縫着の開放縁となっている。すなわち防水布２１３や第２のクロッチ部片２２５はその前後端縁２１４，２１５や２２５ａ、２２５ｂでショーツ本体に取り付けられているし、図２７〜図２９で説明した生理用ショーツのストレッチテープ２２６もその前後端縁２２６ａ、２２６ｂでショーツ本体に取り付けられており、中央部は何ら相互に固定されていない。従って、ショーツ本体２１１のクロッチ部２１２と防水布２１３は、着用者の動きによってずれが生じやすく、従って防水布２１３の上に装着された生理用ナプキンの位置も所定位置からずれが生じる恐れがあり、また、クロッチ部片２２４と、第２のクロッチ部片２２５ならびにストレッチテープ２２６の相互間もそれぞれ上記の場合と同様に着用者の動きによってずれが生じやすく、従って第２のクロッチ部片２２５の上に装着された生理用ナプキンの位置も所定位置からずれが生じるという問題がある。
【００１７】
そこで、第２のクロッチ部片と第１のクロッチ部片を長手方向中央ライン部に沿って相互に縫合し、着用者の動きによっても第２のクロッチ部片が、左右脇側方向にずれが生じにくいようにした生理用ショーツも提案されている。かかる生理用ショーツにおいても、第２のクロッチ部片はその長手方向中央ライン部に沿って第１のクロッチ部片に固定されているが、その左右の両脇縁部は第１のクロッチ部片に対して縫着されておらず開放縁となっているので、ナプキンの両ウィングをショーツ本体の第１のクロッチ部片と第２のクロッチ部片の間に折り込み、この折り込んだウィングを第２のクロッチ部片の裏面に接着することができる。
【００１８】
この場合には、第２のクロッチ部片と第１のクロッチ部片が長手方向中央ライン部に沿って相互に縫合されているので、着用者の動きによっても第２のクロッチ部片が、左右脇側方向にずれが生じることがない。しかしながら、第２のクロッチ部片と第１のクロッチ部片が長手方向中央ライン部に沿って相互に縫合されていると、実用化してわかったことであるが、第２のクロッチ部片と第１のクロッチ部片の間に指が入れにくく、生理用ナプキンの装着がしにくいと言う問題が発生することがわかった。
【００１９】
本発明はこのような問題点を解決し、生理用ナプキン、失禁用パッド、その他の吸収性物品の取り付けが容易で、股部を有する衣類の股部の所定の位置に安定的かつ確実に保持させるとともに、陰裂部への密着性に優れ、かつ装着後の見栄えや着用感も良好な股部を有する衣料を提供することを目的とするものである。
【００２０】
【課題を解決するための手段】
上記の目的を達成するため、本発明は、以下に示すような、股部を有する衣料を提供するものである。
【００２１】
（１）肌に接して着用される股部を有する衣料において、衣料本体を構成する伸縮性第１クロッチ部片の内側面に、吸収性物品を当てがって保持するための第２クロッチ部片が設けられており、前記第２クロッチ部片は、少なくとも長手方向に伸縮性であって、少なくとも長手方向中央ライン部の長さが所定の長さより短い部片からなり、当該短くされた部分が引き伸ばされて、第２クロッチ部片の前後端縁部が衣料本体に取り付けられ、且つその長手方向中央ライン部上の１箇所または２箇所で部分的に衣料本体の第１クロッチ部片に取付られており、前記長手方向中央ライン部上の１箇所または２箇所に部分的に取付けられている部分のクロッチ部片長手方向における長さが、合計１〜３０ｍｍであり、前記第２クロッチ部片の左右の両脇縁部は衣料本体と結合していないフリーの状態である股部構造を有する衣料。
【００２２】
（２）第２クロッチ部片が、長手方向中央ライン部の長さ及び左右の両脇縁部の長さがともに所定の長さより短い部片からなり、前記部片の長手方向中央ライン部と左右の両脇縁部が引き伸ばされて衣料本体に取り付けられている前記（１）項に記載の衣料。
【００２３】
（３）第２クロッチ部片の所定の長さより短い部分の長さが、所定の長さの９０％〜９７％である前記（１）または（２）項のいずれかに記載の衣料。
【００２４】
（４）第２クロッチ部片における、前記長手方向中央ライン部上の１箇所または２箇所の部分的に取付けられている取付け部分のクロッチ部片長手方向における長さが、１箇所につき１〜１０ｍｍである前記（１）〜（３）項のいずれかに記載の衣料。
【００２５】
（５）第２クロッチ部片における、前記長手方向中央ライン部上の１箇所または２箇所の部分的に取付けられている部分が、長手方向中央ラインに対し横方向に向かっている取り付け部である前記（１）〜（４）項のいずれかに記載の衣料。
【００２６】
（６）長手方向中央ラインに対し横方向に向かっている取り付け部の横方向の長さが、合計１〜２０ｍｍである前記（５）項に記載の衣料。
【００２７】
（７）長手方向中央ラインに対し横方向に向かっている取り付け部の横方向の長さが、１箇所につき１〜１０ｍｍである前記（５）〜（６）項のいずれかに記載の衣料。
【００２８】
（８）第１クロッチ部片または第２クロッチ部片のいずれか一方が、その長手方向中央ライン部に沿ってストレッチテープが取り付けられており、前記ストレッチテープは、当該クロッチ部片の長手方向中央ライン部の長さより短いストレッチテープが引き伸ばされて当該クロッチ部片にギャザーを付して取り付けられている前記（１）〜（７）項のいずれかに記載の衣料。
【００２９】
（９）第１クロッチ部片が、長手方向中央ライン部に沿ってストレッチテープが取り付けられており、前記ストレッチテープは、第１クロッチ部片の長手方向中央ライン部の長さより短いストレッチテープが引き伸ばされて第１クロッチ部片にギャザーを付して取り付けられている前記（１）〜（７）項のいずれかに記載の衣料。
【００３０】
（１０）吸収性物品が生理用ナプキンである前記（１）〜（９）項のいずれかに記載の衣料。
【００３１】
（１１）衣料が、ショーツ、ガードル、ボディスーツ、レオタードから選ばれた衣料である前記（１）〜（１０）項のいずれかに記載の衣料。
【００３２】
【発明の実施の形態】
以下、図面を参照しながら、本発明の具体的実施の形態例について説明するが、本発明は、これらの具体例にのみ限定されるものではない。
【００３３】
図１は本発明の股部を有する衣料であるショーツの正面図、図２は図１に示したショーツの背面図、図３は図１に示したショーツのショーツ内側から見た股部近傍の平面図、図４は図１に示したショーツのショーツ外側（底面側）から見た股部近傍の平面図、図５は図３のＡ−Ａ´ラインに相当する切断面の端面図、図６は図１に示したショーツにウィング付き生理用ナプキンを装着した状態における図３のＡ−Ａ´ラインに相当する切断面の端面図である。
【００３４】
図１〜６に示したショーツは、ショーツ本体の前身頃２、左右の後身頃３ａ、３ｂ及び前身頃２の下端部と後身頃３ａ、３ｂの下端部とを接合する股部分である伸縮性の第１クロッチ部片４及び前記第１クロッチ部片４の内側面に設けられていて、吸収性物品を当てがって保持するための第２クロッチ部片５で構成されている。９は後身頃３ａ、３ｂの縫合ラインである。ショーツ本体のクロッチ部片である第１クロッチ部片４の伸縮性は、少なくともクロッチ部片４の長手方向に伸縮性であればよく、この態様においては縦横２方向に伸縮性の生地を用いた。
【００３５】
前記ショーツ本体の伸縮性第１クロッチ部片４の内側面に、ウィング付きの生理用ナプキン（図２４参照）又は同様なウィング付きの失禁用パッド並びにその他の吸収性物品（以下、ウィング付きの生理用ナプキンを代表例として言及する。）を当てがって保持するための第２クロッチ部片５が設けられている。前記第２クロッチ部片５は、少なくともその長手方向に伸縮性を有する編物または織物からなり、長手方向の中間部の幅がショーツ本体の第１クロッチ部片４の幅よりも若干狭く設計されており、図６に示したように、ウィング付きの生理用ナプキンのウィング２０２、２０２を第２のクロッチ部片５の裏側に折り返し、接着部２０３、２０３を第２クロッチ部片５の裏側に接着して生理用ナプキンが取り付けられた状態で、生理用ナプキンが外部から見えないようになっている。第２クロッチ部片５はその前後端縁部５ａ、５ｂでショーツ本体に縫合されている。すなわち本例の場合には、第２クロッチ部片５はその前後端縁部５ａ、５ｂでショーツ本体の第１クロッチ部片４の前後端縁部４ａ、４ｂとともにそれぞれ前身頃２と後身頃３ａ、３ｂに縫合されている。しかも第２クロッチ部片５は長手方向中央ライン部１０−１０´の長さ（５ａ−５ｂ間の長手方向中央ライン部１０−１０´上の長さ）が所定の長さより短い部片からなり、当該短くされた部分が引き伸ばされて、第２クロッチ部片５の前後端縁部５ａ、５ｂが衣料本体すなわち、前身頃２と後身頃３ａ、３ｂなどに縫合されている。第２クロッチ部片が所定の長さより短いとは、第２クロッチ部片５をその前後端縁部５ａ、５ｂでショーツ本体に取り付ける場合に、第２クロッチ部片５の長手方向中央ライン部の長さを引き伸ばさないで縫合できるに必要な長さ（この場合は第１クロッチ部片の長手方向中央ライン部の長さに相当することになる）より短くされていることを意味し、第２クロッチ部片５の長手方向中央ライン部の長さは、所定の長さの９０％以上１００％未満の範囲の長さであることが好ましく、９０％〜９７％の範囲の長さであることがより好ましい。（本実施例では、所定の長さ＝第１クロッチ部片の長手方向中央ライン部の長さ１７ｃｍに対し、第２クロッチ部片５の長手方向中央ライン部の長さ１６ｃｍとした。すなわち、所定の長さの約９４％）。一般的な傾向としては、所定の長さ例えば第１クロッチ部片の長手方向中央ライン部の長さが長いものほど第２クロッチ部片の長手方向中央ライン部の長さを短くする割合を大きくし、所定の長さ例えば第１クロッチ部片の長手方向中央ライン部の長さが短いものほど第２クロッチ部片の長手方向中央ライン部の長さを短くする割合を小さくすることが望ましい傾向にある。このように伸縮性第２クロッチ部片が少なくとも長手方向中央ライン部の長さが所定の長さより短い部片からなり、当該短くされた部分が引き伸ばされて、第２クロッチ部片の前後端縁部が衣料本体に取り付けられることにより、第２クロッチ部片がその長手方向中央ライン部に沿って着用者人体方向に凸状に盛り上がり（図５、図６参照）、生理用ナプキン等の吸収性物品が陰裂部にしっかりと密着する構造とすることができる。
【００３６】
しかも第２クロッチ部片５は長手方向中央ライン部１０−１０´上の前後端縁部５ａ、５ｂ以外の１箇所または２箇所（この図３に示した態様の場合は長手方向中央ライン部の長さのほぼ中央部近傍１箇所）で更に部分的に衣料本体の第１クロッチ部片４に縫合されており、この例においては後述する第１クロッチ部片４の内側面に取り付けられたストレッチテープ６を介して１箇所の縫合ライン７で第１クロッチ部片４に縫合されている。尚、前記第２クロッチ部片５の左右の両縁部５ｃ、５ｄは衣料本体と結合していないフリーの状態に保たれている。
【００３７】
一般的には、縫合ライン７のクロッチ部片長手方向の長さ（「縦方向の長さ」と略称することがある）は１箇所で縫合されている場合も、２箇所で縫合されている場合もその合計長さは１〜３０ｍｍ以内であることが必要で、１ｍｍより短いと、強度が弱く好ましくないし、合計長さが３０ｍｍを越えると、第２のクロッチ部片と第１のクロッチ部片の間に指が入れにくくなり、生理用ナプキンの装着がしにくくなるので、生理用ナプキン、失禁用パッド、その他の吸収性物品の取り付けが容易となると言う本発明の目的が達成できず好ましくない。そして好ましくは、長手方向中央ライン部上の１箇所または２箇所の部分的に取付けられている取付け部分７の縦方向の長さは、１箇所につき１〜１０ｍｍ、より好ましくは１箇所につき１〜５ｍｍであることが好ましい。１箇所につき１〜１０ｍｍより好ましくは１〜５ｍｍとすることにより、第２のクロッチ部片と第１のクロッチ部片の間に指が入れ易く、生理用ナプキンの装着が容易になり好ましい。
【００３８】
なお第２クロッチ部片の長手方向中央ライン部上の２箇所を第１のクロッチ部片に縫合して取り付ける場合には、長手方向中央ライン部上の長さの中点部近辺（「クロッチ部片縦方向の中間付近」と略称することがある。）はかかる取り付け用の縫合ラインがかからないようにすると、より一層、第２クロッチ部片と第１のクロッチ部片の間に指が入れ易くなり、生理用ナプキンの装着がし易くなり好ましい。特に、クロッチ部片縦方向の中間付近においてその縦方向の長さ４５〜６０ｍｍの範囲に、かかる取り付け用の縫合ラインがかからないようにすることは、第２のクロッチ部片と第１のクロッチ部片の間に指が入れ易くなり、生理用ナプキンの装着がより一層し易くなり特に好ましい。
【００３９】
なお、本実施態様例においては、第２クロッチ部片５は、前後２つの小部片５ｘ、５ｙを縫合ライン８で接ぎ合わせて使用している。第２クロッチ部片５の縫合前の状態の、前後２つの小部片５ｘ、５ｙの平面図を図１９に示した。前側部分の小部片５ｘと後側部分の小部片５ｙが相互に結合されるべき部分の相対する縁はそれぞれ凸状に膨らんだ縁（８ａ、８ｂ）を有している。そして相対する縁部８ａと８ｂとを縫合して形成された縫合ラインが、図３に示した縫合ライン８である。
【００４０】
ところで図１９からも明らかなように、長さａ１とａ２の合計が第２クロッチ部片５を構成する長手方向中央ライン部の長さであり、その左右の縁部のそれぞれの長さはｂ１とｂ２の合計であるが、長さａ１とａ２の合計が所定の長さより短く設計されており、従って、当該短くされた部分が引き伸ばされて、第２クロッチ部片の前後端縁部５ａ、５ｂが衣料本体、すなわちこの例では、前身頃２と後身頃３ａ、３ｂならびに第１クロッチ部片の前後端縁部４ａ、４ｂに縫合される。
【００４１】
図４は図１に示したショーツのショーツ外側（底面側）から見た股部近傍の平面図であるが、第１クロッチ部片４は、長手方向中央ライン部１０−１０´方向に沿ってストレッチテープ６が第１クロッチ部片４の内側面に取り付けられており、前記ストレッチテープ６は、第１クロッチ部片４の長手方向中央ライン部の長さより短いストレッチテープ６が引き伸ばされて第１クロッチ部片４にギャザー２０を付して取り付けられている。このように第１クロッチ部片４の長手方向中央ライン部の長さより短いストレッチテープ６が引き伸ばされて第１クロッチ部片４にギャザー２０を付して取り付けられていることにより、第１クロッチ部片もその長手方向中央ライン部に沿って着用者人体方向に凸状に盛り上がり、第２クロッチ部片とともに、生理用ナプキン等の吸収性物品が陰裂部にしっかりと密着する構造とすることができ好ましい。なお、この例では図示していないが、必要に応じて、第１クロッチ部片には前記ストレッチテープを付けないで第２クロッチ部片にその長手方向中央ライン部に沿ってストレッチテープを取り付けるか、又は、第１クロッチ部片と第２クロッチ部片の両者にその長手方向中央ライン部に沿ってストレッチテープが取り付けられていてもよい。
【００４２】
すなわち、第１クロッチ部片または第２クロッチ部片のいずれか少なくとも一方に、その長手方向中央ライン部に沿ってストレッチテープが取り付けられていることが好ましく、その場合に、前記ストレッチテープが、当該クロッチ部片の長手方向中央ライン部の長さより短いストレッチテープが引き伸ばされて当該クロッチ部片にギャザーを付して取り付けられている態様とすることが好ましい。
【００４３】
特に、第１クロッチ部片または第２クロッチ部片のいずれか一方のみに、その長手方向中央ライン部に沿ってストレッチテープを取り付ける態様とする場合には、第１クロッチ部片の内側面に前記ストレッチテープを取り付けた態様が最も好ましい。６ａ、６ｂは取り付けられたストレッチテープ６の前端と後端をそれぞれ示しているが、ストレッチテープ６は、必要に応じて後身頃３ａ、３ｂの縫合ライン９に沿って更に延長されて取り付けられていてもよく、ストレッチテープ６が縫合ライン９に沿って更に延長されて取り付けられている態様の方が、生理用ナプキン等の吸収性物品が陰裂部にしっかりと密着するパワーが強化されるので好ましい。なお、２１は第１クロッチ部片４の内側面に前記ストレッチテープ６を縫着している縫合ライン、２０はギャザーを示している。
【００４４】
ストレッチテープとしては、編物あるいは織物のストレッチテープがある。そしてまた、ストレッチテープは組織によってストレッチ性を有するもの、弾性繊維を使用することによってストレッチ性を発現させているもの、繊維状のゴムなどを使用することによってストレッチ性を発現させているものなど、各種のストレッチテープがあるし、その伸縮度や緊縮力の強弱も各種のものが存在するので、本発明においては、これらのうちから適宜選択して用いてもよい。このショーツの具体例においては、長手方向中央ライン部のストレッチテープ６としてスパンデックス交織細幅織物からなるポリウレタン繊維を含めて織り込んだ織物からなるストレッチテープで幅５ｍｍのテープを採用した。このようなスパンデックス交織細幅織物からなるストレッチテープは、厚みが薄く、しかも緊縮力が強いので、長手方向中央部ライン部に使用してもその部分の厚みの増大を少なくし、違和感を生じさせず必要な緊縮力を発揮できるので極めて好ましいものの一つである。以下の具体例においても長手方向中央ライン部にストレッチテープを使用する場合には、この織物テープが特に好ましいものの一つである。
【００４５】
本発明で用いる少なくとも長手方向中央ライン部の長さが所定の長さより短い第２クロッチ部片として、上述した図３や図１９を用いて説明した態様のものはその一例であって、これらのみに限定されるものではなく、例えば、第２クロッチ部片５の縫合前の状態の平面図である図２０〜図２３などに示した様な他の種々の形状のものも用いることができる。
【００４６】
例えば、図２０に示した第２クロッチ部片は、８ａ、８ｂの縁の膨らみ形状が図１９に示したものと比べて異なっており、凸状に膨らんだ縁８ａ、８ｂのかなりの部分が直線状になっているとともに、その左右の両脇縁部５ｃ、５ｄに相当する長さ（ｂ１及びｂ２の長さ）が所定の長さより短く設計されている第２クロッチ部片である。この図２０に示した第２クロッチ部片は、前後２つの小部片５ｘ、５ｙの縁８ａ、８ｂとが縫合されて１つの第２クロッチ部片として用いられるが、長手方向中央ライン部の長さａ１とａ２の合計が所定の長さより短く設計されているとともに、その左右の両脇縁部５ｃ、５ｄに相当する長さ（ｂ１及びｂ２の長さ）も所定の長さより短く設計されているので、この長手方向中央ライン部と左右の両脇縁部の所定の長さより短くされた部分が共に引き伸ばされて、第２クロッチ部片の前後端縁部５ａ、５ｂが衣料本体、例えば、図１〜３に示した態様では、前身頃２と後身頃３ａ、３ｂならびに第１クロッチ部片の前後端縁部４ａ、４ｂに縫合される。長手方向中央ライン部が引き伸ばされていることにより、第２クロッチ部片がその長手方向中央ライン部に沿って着用者人体方向に凸状に盛り上がり、生理用ナプキン等の吸収性物品が陰裂部にしっかりと密着する構造とすることができると共に、その左右の両脇縁部５ｃ、５ｄに相当する部分の長さ（ｂ１及びｂ２の長さ）が所定の長さより短く設計されている部分も更に引き伸ばされて取り付けられていることにより、その左右の両脇縁部５ｃ、５ｄに相当する部分も着用者人体方向に盛り上がり、図示していないが、類似の図として図１８を参考にすると図１８に示されるように、図３のＡ−Ａ´断面の相当する第２クロッチ部片５の断面形状がＷ字状になり、生理用ナプキン等の吸収性物品が陰裂部にしっかりと密着するとともに脇側も着用者人体方向に密着し、万一、経血などの体液が吸収性物品に吸収しきれないような場合が生じても脇側方向への体液の漏れを防止する機能が発揮され好ましい。第２クロッチ部片の左右の両脇縁部５ｃ、５ｄに相当する長さ（ｂ１及びｂ２の長さ）が所定の長さより短く設計されている場合、所定の長さの９０％以上１００％未満の範囲の長さであることが好ましく、９０％〜９７％の範囲の長さであることがより好ましい。
【００４７】
本発明において、「所定の長さより短く設計されている」と言う場合には、すべてにおいて、一般的に、所定の長さの９０％以上１００％未満の範囲の長さであることが好ましく、９０％〜９７％の範囲の長さであることがより好ましい。
【００４８】
なお、第２クロッチ部片５の左右の両脇縁部５ｃ、５ｄに相当する長さ（ｂ１及びｂ２の長さ）が所定の長さより短く設計されていない場合でも、例えば、図１２に示したように、第２クロッチ部片５の左右の両脇縁部５ｃ、５ｄに沿ってストレッチテープ３０が取り付けられており、前記ストレッチテープ３０は、当該左右の両脇縁部５ｃ、５ｄの長さより短いストレッチテープ３０が引き伸ばされて取り付けられている態様とすることによっても、第２クロッチ部片５の断面形状がＷ字状の態様を実現することができる。尚、図１２は図３と同様のショーツ内側から見た股部近傍の別の態様の平面図であり、ストレッチテープ３０が設けられている点を除いては、図３と同様であるので、同一部分には同一の符号を付して、詳細説明を省略している。
【００４９】
図２１は更に別の態様の第２クロッチ部片の縫合前の状態の平面図を示した。図２１に示した第２クロッチ部片は、図１９や図２０で示した第２クロッチ部片の態様と異なり、前後２つの小部片５ｘ、５ｙに分かれておらず、１つの一体の第２クロッチ部片５からなる態様の一例である。
【００５０】
この第２クロッチ部片５は、長手方向中央ライン部の長さａが所定の長さより短く設計されており、従って、当該短くされた部分が引き伸ばされて、第２クロッチ部片の前後端縁部５ａ、５ｂで衣料本体に取り付けられる態様の第２クロッチ部片である。
【００５１】
また、図２２に示した第２クロッチ部片は、図２１で示した第２クロッチ部片の態様と同様に、１つの一体の第２クロッチ部片５からなる態様の別の一例である。図２１で示した第２クロッチ部片と異なるところは、この第２クロッチ部片５は、長手方向中央ライン部の長さａが所定の長さより短く設計されているだけでなく、左右の両脇縁部５ｃ、５ｄの長さｂも所定の長さより短く設計されており、従って、当該短くされた部分が引き伸ばされて、第２クロッチ部片の前後端縁部５ａ、５ｂで衣料本体に取り付けられる態様の第２クロッチ部片である。
【００５２】
また、図２３に示した第２クロッチ部片も、図２１で示した第２クロッチ部片の態様と同様に、１つの一体の第２クロッチ部片５からなる態様の別の一例である。
【００５３】
この第２クロッチ部片５は、長手方向中央ライン部の長さａと左右の両脇縁の長さｂの両者が所定の長さより短く設計されているだけでなく、第２クロッチ部片の前後端縁部５ａと５ｂ間の長さがすべての部位で所定の長さより短くされている第２クロッチ部片であり、従って、第２クロッチ部片の前後端縁部５ａと５ｂ間がすべての部位で長手方向に引き伸ばされて、第２クロッチ部片の前後端縁部５ａ、５ｂで衣料本体に取り付けられる態様の第２クロッチ部片である。
【００５４】
以上、第２クロッチ部片の縫合前の状態の平面図の少数の例を示したが、本発明で用いる第２クロッチ部片はこれらのみに限定されるものではなく、前記請求項の記載で定義した要件を満たすものであれば、他の態様のものでもよい。
【００５５】
そして上記の如く、図１〜図６で説明した態様の本発明のショーツは、従来のこの種のショーツ本体のクロッチ部片の内側面に生理用ナプキンを当てがって保持するための第２のクロッチ部片が設けられているショーツに比べて、第２クロッチ部片が中央ライン部の一部（本態様ではクロッチ縦方向の中間部）で衣料本体の第１クロッチ部片に取付られているので、ショーツ着用中の着用者の動きによって、第１クロッチ部片４と第２クロッチ部片５とがずれることがなく、従って、生理用ナプキンを所定の位置に安定的かつ確実に保持させる事ができる。そして、特に前記第２クロッチ部片は、少なくとも長手方向に伸縮性であって、少なくとも長手方向中央ライン部の長さが所定の長さより短い部片からなり、当該短くされた部分が引き伸ばされて、第２クロッチ部片の前後端縁部が衣料本体に取り付けられ、しかもストレッチテープ６が第１クロッチ部片４の長手方向中央ライン部に沿って、所定の長さ、すなわちストレッチテープ６があてがわれる部分のショーツ本体の長さより短いストレッチテープが引き伸ばされてギャザーを付して取り付けられているので、第１クロッチ部片のストレッチテープ６が取り付けられている部分が、その長手方向中央ライン部に沿って着用者人体方向に凸状に盛り上がり、第２クロッチ部片とともに、生理用ナプキン等の吸収性物品が陰裂部にしっかりと密着する構造とすることができ、より陰裂部への生理用ナプキンの密着性を向上させることができる。
【００５６】
したがって、第２クロッチ部片の第１クロッチ部片への長手方向中央ライン部における部分的な固定による第１と第２クロッチ部片間のずれの防止とともに陰裂部への生理用ナプキンの密着性を向上させることができるので、経血などの体液の漏れが生じることがなく、ショーツ本体の第１クロッチ部片や第２クロッチ部片のいずれにも、樹脂コーティングなどの防水加工を特にする必要がなく、したがって、着用中の蒸れが生じにくく、痒みなどが生じず、着用感の良好な股部を有する生理用衣料を提供することもできる。しかも、前記第２クロッチ部片の左右の両縁部５ｃ、５ｄはショーツ本体と結合していないフリーの状態であるので、ウィング付きの生理用ナプキンを第２のクロッチ部片５の上に載せ、ウィング２０２、２０２をショーツ本体のクロッチ部片と第２のクロッチ部片５の間で、第２のクロッチ部片５の裏側に折り返し、接着部２０３、２０３を第２クロッチ部片５の裏側に接着して生理用ナプキンを取り付けても、生理用ナプキンが外部から見えないようになっており、装着後の見栄えも良好な股部を有する衣料を提供できる。しかも第２クロッチ部片が中央ライン部の一部で衣料本体の第１クロッチ部片に取付られているので、第２クロッチ部片と第１のクロッチ部片の間に指が入れ易く、生理用ナプキンの装着が容易になり好ましい。また、着用中に生理用ナプキンなどの吸収性物品の位置ずれが生じにくく、着用感が良好になる。
【００５７】
次に図７〜図１８を用いて、別の態様の本発明の股部を有する衣料であるショーツについて説明する。尚、図１２に示した態様についてはすでに説明したので、省略する。
【００５８】
図７は図３と同様のショーツ内側から見た股部近傍の別の態様の平面図であり、第２クロッチ部片５と第１クロッチ部片４の長手方向中央ライン部１０−１０´上での取り付け部（「止め部」と略称することがある）の縦方向の長さ、この例では縫合ライン７のクロッチ縦方向の長さが図３と異なる態様の例である。
【００５９】
第１クロッチ部片４の内側面に取り付けられたストレッチテープ６を介して１箇所の縫合ライン７で第１クロッチ部片４に縫合されている点は図３と同様であり、その他、縫合ライン７の長手方向中央ライン部１０−１０´方向の長さ（縦方向の長さ）が図３に示した態様より長くなった点を除いて、他の部分の態様は図３に示した態様と同一であるので、同一部分には同一の符号を付して、詳細説明を省略している。また、上記の点を除いてその他の部分の態様は図１〜図６で説明した態様とほぼ同一であるので、図１〜図６が参照できる。
【００６０】
縫合ライン７の長手方向中央ライン部１０−１０´方向の長さをより長くすることにより、着用者の動きによって第２のクロッチ部片が、左右脇側方向にずれが生じるのをより強固に防止した態様である。そしてその他この態様においても、図１〜図６で説明した態様のショーツとほぼ同様の効果が達成できる。
【００６１】
以後、長い用語の使用を簡略化するために、本発明において、第２クロッチ部片が、長手方向中央ライン部上の１箇所または２箇所で部分的に衣料本体の第１クロッチ部片に取付られている態様の表現において、１箇所で取付られている態様を「１点止め」と称し、２箇所で取付られている態様を「２点止め」と称する。その場合に、前記取り付け部（止め部）が、第２クロッチ部片の長手方向中央ライン方向に沿って伸びている取り付け部の態様の場合を、「縦止め」と称し、長手方向中央ラインに対し横方向に向かっている取り付け部の態様の場合を、「横止め」と称することにする。従って、この表現を組み合わせて表現すると、本発明においては、例えば「縦１点止め」、「縦２点止め」、「横１点止め」、「横２点止め」などがその態様例として挙げられるが、縦止めと横止めを併用した「縦１、横１の２点止め」でもよい。また前記取り付け部（止め部）は、縫合によって形成された取り付け部が強度、着用感などの点でも好ましいが、接着など他の固定手段を用いて固定してもよい。樹脂接着剤を用いた接着の場合には、当該接着部の縦方向又は横方向の長さは５ｍｍ以上とすることが好ましい。
【００６２】
前記、図３や図７で示した態様は、「縦１点止め」の態様である。
【００６３】
縦１点止めの場合には、前述したように、止め部分のクロッチ部片長手方向の長さ（クロッチ縦方向の長さ）は、１〜３０ｍｍ以内であることが必要であり、好ましくは１〜１０ｍｍ、より好ましくは１箇所につき１〜５ｍｍであることが好ましい。
【００６４】
図３や図１２で示した縦１点止め部分のクロッチ縦方向の長さは５ｍｍの態様であり、図７で示した縦１点止め部分のクロッチ縦方向の長さは１０ｍｍの態様である。
【００６５】
図８は図３と同様のショーツ内側から見た股部近傍の別の態様の平面図であり、第２クロッチ部片５と第１クロッチ部片４の長手方向中央ライン部１０−１０´上での止め部の態様が図３と異なる態様の例である。
【００６６】
図８の態様は縦２点止めの態様であり、第２クロッチ部片５は、第１クロッチ部片４の内側面に取り付けられたストレッチテープ６を介して前後２箇所の縫合ライン７ａ、７ｂで第１クロッチ部片４に縫合されている。前後２箇所の縫合ライン７ａ、７ｂのそれぞれのクロッチ縦方向の長さはそれぞれ３ｍｍの態様であり、前後２箇所の縫合ライン７ａと７ｂ間の距離は６０ｍｍとした。
【００６７】
前述したように、一般的には、縫合ライン７ａ、７ｂのクロッチ縦方向の長さは２点止めの場合その合計長さが１〜３０ｍｍ以内であることが必要で、好ましくは１箇所につき１〜１０ｍｍ、より好ましくは１箇所につき１〜５ｍｍであることが好ましい。そして２点止めの場合に、図８に示した態様のように、クロッチ部片縦方向の中間付近（例えば縫合ライン８の前後近辺）はかかる取り付け用の縫合ライン７ａ、７ｂがかからないようにすることにより、より一層、第２のクロッチ部片と第１のクロッチ部片の間に指が入れ易くなり、生理用ナプキンの装着がし易くなり好ましい。これは、生理用ナプキンなどのウィング２０２がショーツに取り付けられる位置が、クロッチ部片縦方向の中間付近になるものが多いからである。特に、クロッチ部片縦方向の中間付近においてその長さ４５〜６０ｍｍの範囲にかかる取り付け用の縫合ラインがかからないようにすることは、第２のクロッチ部片と第１のクロッチ部片の間に指が入れ易くなり、生理用ナプキンの装着がより一層し易くなり特に好ましい。
【００６８】
このことは横２点止めにおいても同様である。
【００６９】
尚、図８を用いて説明した態様は、上記の点を除いてその他の部分の態様は図１〜図６で説明した態様とほぼ同一であるので、図１〜図６が参照できる。また、その他上記で説明した以外の、図１〜図６で説明した態様のショーツとほぼ同様の効果が達成できる。
【００７０】
図９は図３と同様のショーツ内側から見た股部近傍の別の態様の平面図であり、図９の態様は縦２点止めの更に別の態様である。第２クロッチ部片５は、第１クロッチ部片４の内側面に取り付けられたストレッチテープ６を介して前後２箇所の縫合ライン７ａ、７ｂで第１クロッチ部片４に縫合されている。前後２箇所の縫合ライン７ａ、７ｂのそれぞれの縦方向の長さが、図８に示された態様に比べて長くなっており、それぞれ５ｍｍの態様であり、前後２箇所の縫合ライン７ａと７ｂ間の距離は５０ｍｍとした。この態様は、図８の態様に比べて、縫合ライン７ａ、７ｂの長手方向中央ライン部１０−１０´方向の長さをより長くすることにより、着用者の動きによって第２のクロッチ部片が、左右脇側方向にずれが生じるのをより強固に防止した態様である。
【００７１】
尚、図９を用いて説明した態様は、上記の点を除いてその他の部分の態様は図１〜図６で説明した態様とほぼ同一であるので、図１〜図６が参照できる。また、その他上記で説明した以外の、図１〜図６で説明した態様のショーツとほぼ同様の効果が達成できる。
【００７２】
図１０は図３と同様のショーツ内側から見た股部近傍の別の態様の平面図であり、第２クロッチ部片５と第１クロッチ部片４の長手方向中央ライン部１０−１０´上の１箇所で部分的に取付けられている部分が、長手方向中央ラインに対し横方向に向かっている取り付け部を有する態様、すなわち横１点止めである点が図３と異なる態様の例である。
【００７３】
第２クロッチ部片５は、第１クロッチ部片４の内側面に取り付けられたストレッチテープ６を介して１箇所の縫合ライン７で第１クロッチ部片４に縫合されているが、縫合ライン７の長手方向はクロッチ部片の長手方向中央ライン部１０−１０´に対し横方向に向かっている。その他の部分の態様は図３に示した態様と同一であるので、同一部分には同一の符号を付して、詳細説明を省略している。尚、図１０を用いて説明した態様は、上記の点を除いてその他の部分の態様は図１〜図６で説明した態様とほぼ同一であるので、図１〜図６が参照できる。また、その他上記で説明した以外の、図１〜図６で説明した態様のショーツとほぼ同様の効果が達成できる。
【００７４】
前述したように、横止めにおいても、長手方向中央ライン部上の１箇所または２箇所の部分的に取付けられている取付け部分７の長手方向中央ライン部１０−１０´方向の長さ（縦方向の長さ）は、縦止めにおいて説明した範囲内であり、横止めの場合には、ジグザグに縫合する場合に、ジグザグの振幅を大きくする場合もあるが、その場合でも、取付け部分７のクロッチ部片の長手方向中央ライン部１０−１０´方向の長さ（縦方向の長さ）は先に説明したように縦止めで規定した範囲内とする必要がある。ところで、横止めにおいて、止め部の横方向の長さは、１箇所につき１〜１０ｍｍが好ましく、より好ましくは１〜５ｍｍである。特に、図１０に示したように、クロッチ部縦方向の中間付近を横止めする場合には、止め部の横方向の長さは１〜５ｍｍの様に短い方が、吸収性物品のウィングが取り付けやすく好ましい。横２点止めなどの場合で、止め部がクロッチ部縦方向の中間付近より離れた箇所を止める場合には、止め部の横方向の長さは１〜１０ｍｍの範囲が好ましい。横２点止めなどの場合で、２箇所の止め部の横方向の長さの合計は通常１〜３０ｍｍ、より好ましくは１〜２０ｍｍの範囲内とするのが一般的である。図１０に示した態様においては、止め部７の縦方向の長さは２ｍｍとし、止め部７の横方向の長さは５ｍｍとした。
【００７５】
図１１は図３と同様のショーツ内側から見た股部近傍の別の態様の平面図であり、第２クロッチ部片５と第１クロッチ部片４の長手方向中央ライン部１０−１０´上の２箇所で部分的に取付けられている部分が、長手方向中央ラインに対し横方向に向かっている取り付け部を有する態様、すなわち横２点止めである点が図３と異なる態様の例である。
【００７６】
第２クロッチ部片５は、第１クロッチ部片４の内側面に取り付けられたストレッチテープ６を介して２箇所の縫合ライン７ａ、７ｂで第１クロッチ部片４に縫合されているが、縫合ライン７ａ、７ｂの長手方向はクロッチ部片の長手方向中央ライン部１０−１０´に対し横方向に向かっている。その他の部分の態様は図３に示した態様と同一であるので、同一部分には同一の符号を付して、詳細説明を省略している。尚、図１１を用いて説明した態様は、上記の点を除いてその他の部分の態様は図１〜図６で説明した態様とほぼ同一であるので、図１〜図６が参照できる。また、その他上記で説明した以外の、図１〜図６で説明した態様のショーツとほぼ同様の効果が達成できる。
【００７７】
前述したように、横２点止めにおいても、クロッチ部片縦方向の中間付近（例えば縫合ライン８の前後近辺）はかかる取り付け用の縫合ライン７ａ、７ｂがかからないようにすることにより、より一層、第２のクロッチ部片と第１のクロッチ部片の間に指が入れ易くなり、生理用ナプキンの装着がし易くなり好ましい。これは、前述した如く生理用ナプキンなどのウィング２０２がショーツに取り付けられる位置が、クロッチ部片縦方向の中間付近になるものが多いからである。特に、クロッチ部片縦方向の中間付近においてその長さ４５〜６０ｍｍの範囲にかかる取り付け用の縫合ラインがかからないようにすることは、第２のクロッチ部片と第１のクロッチ部片の間に指が入れ易くなり、生理用ナプキンの装着がより一層し易くなり特に好ましい。図１１に示した態様においては、縫合ライン７ａと７ｂのクロッチ縦方向の長さはそれぞれ２ｍｍ、横方向の長さはそれぞれ５ｍｍとし、前後２箇所の縫合ライン７ａと７ｂ間の距離は５５ｍｍとした。
【００７８】
図１３は図３と同様のショーツ内側から見た股部近傍の別の態様の平面図であり、第２クロッチ部片５が、図３で示した態様の如く、前後２つの小部片５ｘ、５ｙに分かれておらず、１つの一体の第２クロッチ部片５からなる縦１点止めの態様の一例である。このような第２クロッチ部片５としては、例えば図２１〜図２３に示したような第２クロッチ部片などが使用されるが、これらのみに限定されるものではない。
【００７９】
本態様においては、図２３に示したような第２クロッチ部片、すなわち第２クロッチ部片の前後端縁部５ａと５ｂ間の長さがすべての部位で所定の長さより短くされている第２クロッチ部片［この場合所定の長さ（＝第１クロッチ部片の前後端縁部４ａと４ｂ間の長さ）に対し約９４％の長さの第２クロッチ部片］を用いている以外は、図３に示した態様と同一（取付け部分７の縦方向の長さも同一）であるので、同一部分には同一の符号を付して説明を省略した。
【００８０】
尚、図１３を用いて説明した態様は、上記の点を除いてその他の部分の態様は図１〜図６で説明した態様とほぼ同一であるので、図１〜図６が参照できる。また、その他上記で説明した以外の、図１〜図６で説明した態様のショーツとほぼ同様の効果が達成できる。
【００８１】
図１４は図３と同様のショーツ内側から見た股部近傍の別の態様の平面図であり、第２クロッチ部片５が、図３で示した態様の如く、前後２つの小部片５ｘ、５ｙに分かれておらず、１つの一体の第２クロッチ部片５からなる縦２点止めの態様の一例である。このような第２クロッチ部片５としては、例えば図２１〜図２３に示したような第２クロッチ部片などが使用されるが、これらのみに限定されるものではない。
【００８２】
本態様においても、図２３に示したような第２クロッチ部片、すなわち第２クロッチ部片の前後端縁部５ａと５ｂ間の長さがすべての部位で所定の長さより短くされている第２クロッチ部片［この場合所定の長さ（＝第１クロッチ部片の前後端縁部４ａと４ｂ間の長さ）に対し約９４％の長さの第２クロッチ部片］を用いている点、ならびに第２クロッチ部片５と第１クロッチ部片４の長手方向中央ライン部１０−１０´上の２箇所で部分的に取付けられている縦２点止めである点が図３と異なる態様の例である。上記の点以外は、図３に示した態様と実質上同一であるので、同一部分には同一の符号を付して説明を省略した。上記の点を除いてその他の部分の態様は図１〜図６で説明した態様とほぼ同一であるので、図１〜図６が参照できる。
【００８３】
図１４に示した態様は、縦２点止めの態様であり、第２クロッチ部片５は、第１クロッチ部片４の内側面に取り付けられたストレッチテープ６を介して前後２箇所の縫合ライン７ａ、７ｂで第１クロッチ部片４に縫合されている。縫合ライン７ａ、７ｂのそれぞれ１端が各々第２クロッチ部片の前後端縁部５ａと５ｂ（第１クロッチ部片の前後端縁部４ａと４ｂ）に接するような位置に縫合ライン７ａ、７ｂが設けられている。前後２箇所の縫合ライン７ａ、７ｂのそれぞれの縦方向の長さはそれぞれ７ｍｍの態様であり、前後２箇所の縫合ライン７ａと７ｂ間の距離は１４６ｍｍとした。
【００８４】
図１４に示した態様のショーツにおいては、第２のクロッチ部片と第１のクロッチ部片の間に指が極めて入れ易くなり、生理用ナプキンの装着がより一層し易くなる。また、図１４に示した態様のショーツにおいては、その他上記で説明した以外の、図１〜図６で説明した態様のショーツとほぼ同様の効果が達成できる。
【００８５】
次に、図１５〜図１７に更に別の態様の本発明の股部を有する衣料であるショーツを示した。
【００８６】
図１５に示したショーツと図１６に示したショーツとは同じショーツであるが、図１６に示した状態は、第２のクロッチ部片５の両縁部５ｃ、５ｄがショーツ本体と結合していないフリーの状態である事を示すために、両縁部５ｃ、５ｄを上方に捲った状態で示した図である。図１７は図１５に示したショーツのショーツ内側から見た股部近傍の平面図である。
【００８７】
図１５〜図１７に示したショーツは、図１〜図５で示したショーツとよく似ているが、図１５〜図１７に示したショーツは、ストレッチテープ６が、第１クロッチ部片４の前後端縁部間のみならず、更に後身頃の後中心ラインに沿って伸びており後ウェストまで到達している態様のショーツである。このように長手方向中央ライン部にストレッチテープ６を用いる態様においては、ストレッチテープ６が第１クロッチ部片４の前後端縁部間のみならず、更に後身頃の後中心ラインに沿って伸びており後ウェストまで到達している態様は、生理用ナプキン等の吸収性物品が陰裂部にしっかりと密着するパワーが強化されるので、より陰裂部への生理用ナプキンの密着性を向上させる上でも好適である。この場合もストレッチテープ６は所定の長さ、すなわち第１クロッチ部片４の前端縁部４ａから後ウェストまでのショーツ本体の長さより短いストレッチテープが引き伸ばされ、当該テープが取り付けられているショーツ本体部分にギャザーを付して取り付けられている。これらの点以外は、図１〜５に示したショーツと実質的に同一であるので、同一部分には同一の符号を付して重複説明を省略した。
【００８８】
以上説明した図１５〜図１７で示したショーツは、図１〜図５で示したショーツと同様に、従来のこの種のショーツ本体のクロッチ部片の内側面に生理用ナプキンを当てがって保持するための第２クロッチ部片が設けられているショーツに比べて、図１５〜図１７で説明した本発明のショーツにおいては、第２クロッチ部片が中央ライン部の一部（本態様ではクロッチ縦方向の中間部）で衣料本体の第１クロッチ部片に取付られているので、ショーツ着用中の着用者の動きによって、ショーツ本体の第１クロッチ部片４と第２クロッチ部片５とがずれることがなく、従って、生理用ナプキンを所定の位置に安定的かつ確実に保持させる事ができる。そして、特に前記第２クロッチ部片は、少なくとも長手方向に伸縮性であって、少なくとも長手方向中央ライン部の長さが所定の長さより短い部片からなり、当該短くされた部分が引き伸ばされて、第２クロッチ部片の前後端縁部が衣料本体に取り付けられ、しかもストレッチテープ６が第１クロッチ部片４の前端縁部４ａから後ウェストまで存在し、所定の長さ、すなわちストレッチテープ６があてがわれる部分のショーツ本体の長さより短いストレッチテープが引き伸ばされてギャザーを付して取り付けられているので、生理用ナプキン等の吸収性物品が陰裂部にしっかりと密着するパワーが強化されるので、より陰裂部への生理用ナプキンの密着性を向上させることができる。したがって、ショーツ本体の第１クロッチ部片や第２クロッチ部片のいずれにも、樹脂コーティングなどの防水加工を特にする必要がなく、したがって、着用中の蒸れが生じにくく、痒みなどが生じず、着用感の良好な股部を有する生理用衣料を提供することもできる。しかも、前記第２クロッチ部片の左右の両縁部５ｃ、５ｄはショーツ本体と結合していないフリーの状態であるので、ウィング付きの生理用ナプキンを第２のクロッチ部片５の上に載せ、ウィング２０２、２０２をショーツ本体のクロッチ部片と第２のクロッチ部片５の間で、第２のクロッチ部片５の裏側に折り返し、接着部２０３、２０３を第２クロッチ部片５の裏側に接着して生理用ナプキンを取り付けても、生理用ナプキンが外部から見えないようになっており、装着後の見栄えも良好な股部を有する衣料を提供できる。しかも第２クロッチ部片が中央ライン部の一部（本態様ではクロッチ縦方向の中間部、止め部７の縦方向の長さ５ｍｍ）で衣料本体の第１クロッチ部片に取付られているので、第２のクロッチ部片と第１のクロッチ部片の間に指が入れ易く、生理用ナプキンの装着が容易になり好ましい。
【００８９】
図１８は、本発明の更に別の態様のショーツの図３のＡ−Ａ´ラインに相当すると同様の部分の切断面の端面図である。図１８に示したショーツは、図１〜５に示したショーツとほぼ同様であるが、第２のクロッチ部片と第１のクロッチ部片の態様が図１〜５に示したショーツと若干異なっている。
【００９０】
図１８において、第２のクロッチ部片としては、図２０に示した第２クロッチ部片を用いた。図２０に示した第２クロッチ部片は、長手方向中央ライン部の長さ（ａ１とａ２の合計長さ）が所定の長さより短く、且つその左右の両脇縁部５ｃ、５ｄに相当する長さ（ｂ１及びｂ２の長さ）が所定の長さより短く設計されている第２クロッチ部片である。この図２０に示した第２クロッチ部片は、前後２つの小部片５ｘ、５ｙの縁８ａ、８ｂとが縫合されて１つの第２クロッチ部片として用いられるが、長手方向中央ライン部の長さａ１とａ２の合計が所定の長さより短く設計されているとともに、その左右の両脇縁部５ｃ、５ｄに相当する長さ（ｂ１及びｂ２の長さ）が所定の長さより短く設計されているので、この長手方向中央ライン部と左右の両脇縁部の所定の長さより短くされた部分が共に引き伸ばされて、第２クロッチ部片の前後端縁部５ａ、５ｂが衣料本体、例えば、図１〜３を参照すると、前身頃２と後身頃３ａ、３ｂならびに第１クロッチ部片の前後端縁部４ａ、４ｂに縫合される。長手方向中央ライン部が引き伸ばされていることにより、第２クロッチ部片がその長手方向中央ライン部に沿って着用者人体方向に凸状に盛り上がり、生理用ナプキン等の吸収性物品が陰裂部にしっかりと密着する構造とすることができると共に、その左右の両脇縁部５ｃ、５ｄに相当する長さ（ｂ１及びｂ２の長さ）が所定の長さより短く設計されている部分も更に引き伸ばされて取り付けられていることにより、その左右の両脇縁部５ｃ、５ｄに相当する部分も着用者人体方向に盛り上がり、図１８に示されるように、図３のＡ−Ａ´断面の相当する第２クロッチ部片５の断面形状がＷ字状になり、生理用ナプキン等の吸収性物品が陰裂部にしっかりと密着するとともに脇側も着用者人体方向に密着し、万一、経血などの体液が吸収性物品に吸収しきれないような場合が生じても脇側方向への体液の漏れを防止する機能が発揮されるようになっている。更に本態様においては、図４で説明したと同様に、第１クロッチ部片４の長手方向中央ライン部１０−１０´方向に沿って第１クロッチ部片４の長手方向中央ライン部の長さより短いストレッチテープ６が引き伸ばされて第１クロッチ部片４の内側面に取り付けられており、更にこの態様においては、第１クロッチ部片４の内側面で、左右の両脇縁部４ｃ、４ｄに沿って、第１クロッチ部片の左右の両脇縁部のクロッチ縦方向の所定の長さより短いストレッチテープ３１が引き伸ばされて取り付けられている。このように第１クロッチ部片４の内側面で、長手方向中央ライン部と左右の両脇縁部４ｃ、４ｄに沿って、それぞれ第１クロッチ部片の長手方向中央ライン部や左右の両脇縁部のクロッチ縦方向の所定の長さより短いストレッチテープ６、３１が所定の長さに引き伸ばされて取り付けられている態様とすることにより、第１クロッチ部片４の長手方向中央ライン部とともにストレッチテープ３１が取り付けられている左右の両脇縁部４ｃ、４ｄの部分も着用者人体方向側に盛り上がり、第１クロッチ部片４の断面形状もＷ字状になり易く、第２クロッチ部片の前述した断面形状もＷ字状構造と共に、生理用ナプキン等の吸収性物品が陰裂部にしっかりと密着させ脇側も着用��人体方向に密着し、より一層体液の漏れを防止する機能が発揮されるようになっている態様である。３２はストレッチテープ３１を第１クロッチ部片４に取り付けている縫合ラインを示している。
【００９１】
尚、この実施の形態例においては、いずれの場合も所定の長さより短いとは、所定の長さの約９４％の長さとした。
【００９２】
上記で説明した以外の点は、実質的に図１〜５に示したショーツと実質的に同様であるので、同一部分には同一の符号を付して、詳細説明を省略している。また、図１８を用いて説明したショーツは、その他上記で説明した以外の、図１〜図６で説明した態様のショーツとほぼ同様の効果が達成できる。
【００９３】
以上、股部を有する衣料の代表例として図面を用い前身頃１枚と左右の後身頃が２枚からなるショーツを取り上げて説明したが、本発明の特徴部分は、主としてクロッチ部分の構造に存するので、クロッチ部分以外の衣料本体の形状、構造などの設計は、上記の図示した態様に限られるものではなく、本発明の目的が達成できれば、他の形状、構造、設計でもよいことは当然である。
【００９４】
また、股部を有する衣料の代表例としてショーツを取り上げて説明したが、本発明で説明した股部構造は、ガードル、ボディスーツ、レオタードなど、肌に密着させて着用する股部を有する各種衣料に適用できる。例えば、ショートタイプのガードルであれば、衣料本体の外形が多少ショーツと異なってくるが、ほとんどショーツと同様に前記股部構造を適用できる。また、ロングタイプのガードルであれば前記ショートタイプのガードルに、太ももの一部を覆う脚部が付け加えられたものであるから、同様に前記股部構造を適用できる。そしてロングタイプのガードルであっても、クロッチ部が２重となり、好ましくはその幅方向断面形状を略Ｗ形状の構造とすることが出来、ウィング付き生理用ナプキンなどの吸収性物品を容易に取り付けることができる。ボディスーツにおいては、基本的には、ショーツに乳房カップまでの上半身部が付け加えられたものであり、ショーツと同様に前記股部構造を採用できる。レオタードにおいては、ボディスーツとほとんど同様の形状の衣料か、あるいは、ボディスーツに太ももの一部を覆う脚部が付け加えられた形状の衣料、あるいは、腕の少なくとも一部を覆う袖が設けられている形状の衣料であり、ボディスーツと同様に前記股部構造を採用できる。
【００９５】
また、ストレッチテープを用いる場合において、用いるストレッチテープの幅は、用いる場所に応じて適宜好適な幅のものを用いればよく、特に制限するものではないが３〜１０ｍｍ程度が好ましい。
【００９６】
本発明の股部を有する衣料は、前述したように、生理用ナプキン等の吸収性物品を陰裂部にしっかりと密着させることができ、且つ、第１と第２クロッチ部片の横ずれなども防止されているので、経血などの体液を効果的に吸収性物品に吸収させることができ、体液の漏れを防止する機能が発揮されるようになっているので、第１クロッチ部片や第２クロッチ部片の生地としては、前述したような伸縮性のある生地であれば特に制限はなく、防水布などの液体の漏れを防止するような防水樹脂加工などの施されている通気性、透水性の低い生地を特に用いなければならないと言う制限もなく、通常の伸縮性の生地を用いることもできる。従来の防水布などを用いた生理用ショーツなどに比べて、遥かに通気性がよく、蒸れが生じにくく、したがって着用感が良好な股部を有する衣料が提供できる。
【００９７】
かかる第１クロッチ部片や第２クロッチ部片に用いる生地としては、具体的には、例えば、防水加工されていない、トリコネット、ツーウェイパワーネット、サテン調パワーネット、メッシュ調パワーネットなどのラッシェル編物や、同じく防水加工されていないツーウェイトリコット、ハーフトリコット、ダブルトリコットなどのトリコット編物が好適である。特に限定するものではないが、第２のクロッチ部片などは、例えば、若干編目の粗いサテン調パワーネットなどを用いることが特に好適であり、サテン調パワーネットは、生理用ナプキンなどのウィング部分が貼り付け易く、しかも剥がす際に接着剤が生地表面に残りにくく剥がすことも容易であるし、通気性も良好である。より通気性を住しする場合には、メッシュ調パワーネットも好ましい素材の一つである。
【００９８】
ちなみに防水布を用いた場合に比べ、生地そのもので比較した場合、通気抵抗（ＫＰａ・ｓ／ｍ）は容易に１０００分の１以下にすることができ、透湿度（ｇ／ｍ2／ｈ）は２倍以上の素材を用いることができる。なお、防水加工でなく、撥水加工などそれほど致命的に通気性を阻害しない加工であれば、衣料本体のクロッチ部片や第２のクロッチ部片に適宜の加工を施してもよいことはもちろんである。
【００９９】
なお、生理用ナプキンの装着を代表例として取り上げ説明しているが、失禁用パッドやその他の吸収性物品についても図２４に示したナプキンのようなウィング付きの失禁用パッド及びその他の吸収性物品も考えられ、このような想定されるウィング付きの失禁用パッド及びその他の吸収性物品を使用する場合についても、同様に、本発明の股部を有する衣料を有効に用いる事ができる。
【０１００】
【発明の効果】
（１）本発明は、生理用ナプキン、失禁用パッド、その他の吸収性物品の取り付けがより容易で、股部を有する衣類の股部の所定の位置に安定的かつ確実に保持させるとともに、陰裂部への密着性に優れ、かつ装着後の見栄えや着用感も良好な股部を有する衣料を提供できる。
【０１０１】
すなわち本発明の股部を有する衣料は、第２クロッチ部片が中央ライン部の一部の１箇所又は２箇所でその縦方向長さ合計１〜３０ｍｍの範囲で衣料本体の第１クロッチ部片に取付られているので、ショーツ着用中の着用者の動きによって、第１クロッチ部片と第２クロッチ部片とがずれることがなく、従って、生理用ナプキンなどのウィング付き吸収性物品を所定の位置に安定的かつ確実に保持させる事ができる。そして、特に前記第２のクロッチ部片は、少なくとも長手方向に伸縮性であって、少なくとも長手方向中央ライン部の長さが所定の長さより短い部片からなり、当該短くされた部分が引き伸ばされて、第２クロッチ部片の前後端縁部が衣料本体に取り付けられているので、第２クロッチ部片がその長手方向中央ライン部に沿って着用者人体方向に凸状に盛り上がり、生理用ナプキン等の吸収性物品が陰裂部にしっかりと密着する構造とすることができる。
【０１０２】
しかも、前記第２クロッチ部片の左右の両縁部はショーツ本体と結合していないフリーの状態であるので、ウィング付きの生理用ナプキンなどの吸収性物品を第２クロッチ部片の上に載せ、吸収性物品のウィングを第１クロッチ部片と第２クロッチ部片の間で、第２クロッチ部片の裏側に折り返し、ウィングの接着部を第２クロッチ部片の裏側に接着して生理用ナプキンなどの吸収性物品を取り付けても、生理用ナプキンなどの吸収性物品が外部から見えないようになっており、装着後の見栄えも良好な股部を有する衣料を提供できる。しかも第２クロッチ部片が中央ライン部の一部で衣料本体の第１クロッチ部片に取付られているので、第２のクロッチ部片と第１のクロッチ部片の間に指が入れ易く、生理用ナプキンなどの吸収性物品の装着が容易になり好ましい。また、着用中に生理用ナプキンなどの吸収性物品の位置ずれが生じにくく、位置ずれによる着用感の低下も防止できる。
【０１０３】
（２）また、前記（１）項に記載の衣料において、第２クロッチ部片が、長手方向中央ライン部の長さ及び左右の両脇縁部の長さがともに所定の長さより短い部片からなり、前記部片の長手方向中央ライン部と左右の両脇縁部が引き伸ばされて衣料本体に取り付けられている本発明の好ましい態様とすることにより、第２クロッチ部片の断面形状が略Ｗ字状になり、生理用ナプキン等の吸収性物品が陰裂部にしっかりと密着するとともに脇側も着用者人体方向に密着し、万一、経血などの体液が吸収性物品に吸収しきれないような場合が生じても脇側方向への体液の漏れを防止する機能が発揮し得る股部を有する衣料を提供でき好ましい。
【０１０４】
（３）また、前記（１）または（２）項のいずれかに記載の衣料において、第２クロッチ部片の所定の長さより短い部分の長さが、所定の長さの９０％〜９７％である本発明の好ましい態様とすることにより、第２クロッチ部片がその長手方向中央ライン部に沿って着用者人体方向に凸状に盛り上がり、生理用ナプキン等の吸収性物品が陰裂部にしっかりと密着する構造が効果的に発現できると共に、あまりに短くしすぎることによって、伸縮パワーが強すぎて、着用感が低下すると言う問題もなく好ましい。
【０１０５】
（４）また、前記（１）〜（３）項のいずれかに記載の衣料において、第２クロッチ部片における、前記長手方向中央ライン部上の１箇所または２箇所に部分的に取付けられている取付け部分のクロッチ部片長手方向における長さが、１箇所につき１〜１０ｍｍである本発明の好ましい態様とすることにより、第２のクロッチ部片と第１のクロッチ部片の間に指が入れ易く、生理用ナプキンなどの吸収性物品の装着が容易になり好ましい。第２のクロッチ部片と第１のクロッチ部片の長手方向中央ライン部上の１箇所または２箇所で部分的に取り付けられている取付け部分の強度も実用範囲をキープでき好ましい。
【０１０６】
（５）また、前記（１）〜（４）項のいずれかに記載の衣料において、第２クロッチ部片における、前記長手方向中央ライン部上の１箇所または２箇所の部分的に取付けられている部分が、長手方向中央ラインに対し横方向に向かっている取り付け部である本発明の好ましい態様とすることにより、第２のクロッチ部片と第１のクロッチ部片の間に指が入れ易く、生理用ナプキンなどの吸収性物品の装着が容易になり好ましい。
【０１０７】
（６）また、前記（５）項に記載の衣料において、長手方向中央ラインに対し横方向に向かっている取り付け部の横方向の長さが、合計１〜２０ｍｍである本発明の好ましい態様とすることにより、取り付け部の横方向の長さがあまりに長すぎることにより、第２のクロッチ部片と第１のクロッチ部片の間に指が入れにくくなることもなく、取り付け部の横方向の長さがあまりに短すぎることにより、前記取り付け部の強度が低下して取り付け構造が簡単に剥がれてしまうという恐れもなく、第２のクロッチ部片と第１のクロッチ部片の間に指が入れ易く、生理用ナプキンなどの吸収性物品の装着が容易になり好ましい。また、前記取付け部分の強度も実用範囲をキープでき好ましい。
【０１０８】
（７）また、前記（５）〜（６）項のいずれかに記載の衣料において、長手方向中央ラインに対し横方向に向かっている取り付け部の横方向の長さが、１箇所につき１〜１０ｍｍである本発明の好ましい態様とすることにより、取り付け部の横方向の長さがあまりに長すぎることにより、第２のクロッチ部片と第１のクロッチ部片の間に指が入れにくくなることもなく、取り付け部の横方向の長さがあまりに短すぎることにより、前記取り付け部の強度が低下して取り付け構造が簡単に剥がれてしまうという恐れもなく、第２のクロッチ部片と第１のクロッチ部片の間に指が入れ易く、生理用ナプキンなどの吸収性物品の装着が容易になり好ましい。また、前記取付け部分の強度も実用範囲をキープでき好ましい。
【０１０９】
（８）また、前記（１）〜（７）項のいずれかに記載の衣料において、第１クロッチ部片または第２クロッチ部片のいずれか一方が、その長手方向中央ライン部に沿ってストレッチテープが取り付けられており、前記ストレッチテープは、当該クロッチ部片の長手方向中央ライン部の長さより短いストレッチテープが引き伸ばされて当該クロッチ部片にギャザーを付して取り付けられている本発明の好ましい態様とすることにより、ストレッチテープが引き伸ばされて当該クロッチ部片にギャザーを付して取り付けられているクロッチ部片が長手方向中央ライン部に沿って着用者人体方向に凸状に盛り上がるパワーが強化され、生理用ナプキン等の吸収性物品が陰裂部に更にしっかりと密着する構造とすることができ好ましい。
【０１１０】
（９）また、前記（１）〜（７）項のいずれかに記載の衣料において、第１クロッチ部片が、長手方向中央ライン部に沿ってストレッチテープが取り付けられており、前記ストレッチテープは、第１クロッチ部片の長手方向中央ライン部の長さより短いストレッチテープが引き伸ばされて第１クロッチ部片にギャザーを付して取り付けられている本発明の好ましい態様とすることにより、第１クロッチ部片もその長手方向中央ライン部に沿って着用者人体方向に凸状に盛り上がり、第２クロッチ部片の当該作用と併せて、生理用ナプキン等の吸収性物品を陰裂部に更にしっかりと密着する構造とすることができ好ましい。
【０１１１】
（１０）また、前記（１）〜（９）項のいずれかに記載の衣料において、吸収性物品が生理用ナプキンである本発明の好ましい態様とすることにより、ほとんどの女性に生じる経血による問題を、安心して、確実に克服でき、外出中や仕事中などに、万一、メンスによる出血が生じても、生理用ナプキンが陰裂部にしっかりと密着しているので、アウターウェアーなどを汚すおそれが少なく、ずれが生じにくいのでずれによる着用感の低下もなく好ましい。
【０１１２】
（１１）また、前記（１）〜（１０）項のいずれかに記載の衣料において、衣料が、ショーツ、ガードル、ボディスーツ、レオタードから選ばれた衣料である本発明の好ましい態様とすることにより、これらの衣料は、身体にタイトに着用される種類の衣料であって、クロッチ部に取り付けた生理用ナプキン等の吸収性物品が陰裂部にしっかりと密着する構造とすることが容易な衣料であり、本発明の機能を効果的に発揮しうる衣料として好ましい。
【図面の簡単な説明】
【図１】本発明の股部を有する衣料であるショーツの正面図。
【図２】図１に示したショーツの背面図。
【図３】図１に示したショーツのショーツ内側から見た股部近傍の平面図。
【図４】図１に示したショーツのショーツ外側（底面側）から見た股部近傍の平面図。
【図５】図３のＡ−Ａ´ラインに相当する切断面の端面図。
【図６】図１に示したショーツにウィング付き生理用ナプキンを装着した状態における図３のＡ−Ａ´ラインに相当する切断面の端面図。
【図７】本発明のショーツ内側から見た股部近傍の別の態様の平面図。
【図８】本発明のショーツ内側から見た股部近傍の更に別の態様の平面図。
【図９】本発明のショーツ内側から見た股部近傍の更に別の態様の平面図。
【図１０】本発明のショーツ内側から見た股部近傍の更に別の態様の平面図。
【図１１】本発明のショーツ内側から見た股部近傍の更に別の態様の平面図。
【図１２】本発明のショーツ内側から見た股部近傍の更に別の態様の平面図。
【図１３】本発明のショーツ内側から見た股部近傍の更に別の態様の平面図。
【図１４】本発明のショーツ内側から見た股部近傍の更に別の態様の平面図。
【図１５】更に別の態様の本発明の股部を有する衣料であるショーツの横方向から見た斜視図。
【図１６】図１５に示したショーツの、第２のクロッチ部片５の両縁部５ｃ、５ｄを上方に捲った状態で示したショーツの横方向から見た斜視図。
【図１７】図１５に示したショーツのショーツ内側から見た股部近傍の平面図。
【図１８】本発明の更に別の態様のショーツの図３のＡ−Ａ´ラインに相当すると同様の部分の切断面の端面図。
【図１９】本発明で用いる第２のクロッチ部片５の縫合前の状態の一態様の平面図。
【図２０】本発明で用いる第２のクロッチ部片５の縫合前の状態の別の一態様の平面図。
【図２１】本発明で用いる第２のクロッチ部片５の縫合前の状態の更に別の一態様の平面図。
【図２２】本発明で用いる第２のクロッチ部片５の縫合前の状態の更に別の一態様の平面図。
【図２３】本発明で用いる第２のクロッチ部片５の縫合前の状態の更に別の一態様の平面図。
【図２４】生理用ナプキンの一例の斜視図。
【図２５】生理用ナプキンを従来の生理用ショーツに装着した状態を示す図。
【図２６】別の態様の従来の生理用ショーツの要部斜視図。
【図２７】更に別の態様の従来の生理用ショーツの股部近傍を内側から見た平面図。
【図２８】図２７のＡ―Ａ´ラインにおける断面略図。
【図２９】図２７ならびに図２８の２２５の生理用ナプキン保持布片のみの断面図。
【符号の説明】
２        前身頃
３        後身頃
３ａ      左の後身頃
３ｂ      右の後身頃
４        第１クロッチ部片
４ａ      第１クロッチ部片４の前端縁部
４ｂ      第１クロッチ部片４の後端縁部
５        第２クロッチ部片
５ａ      第２クロッチ部片５の前端縁部
５ｂ      第２クロッチ部片５の後端縁部
５ｃ      第２クロッチ部片５の左の脇縁部
５ｄ      第２クロッチ部片５の右の脇縁部
５ｘ      第２クロッチ部片５の前側の小部片
５ｙ      第２クロッチ部片５の後側の小部片
６        ストレッチテープ
６ａ      ストレッチテープの前端
６ｂ      ストレッチテープの後端
７        縫合ライン
７ａ、７ｂ  縫合ライン
８        縫合ライン
８ａ      小部片５ｘの縁部
８ｂ      小部片５ｙの縁部
９        後身頃３ａ、３ｂの縫合ライン
１０−１０´      長手方向中央ライン部
２０      ギャザー
２１      ストレッチテープの縫合ライン
３０      ストレッチテープ
３１      ストレッチテープ
３２      ストレッチテープの縫合ライン
２０１    ナプキン本体
２０２    ウィング
２０３    接着部
２０５    ショーツ本体
２０６    クロッチ部
２１１    ショーツ本体
２１２    クロッチ部
２１３    防水布
２１４    防水布２１３の前端
２１５    防水布２１３の後端
２１６    前端近傍の左右両脇縁部
２１７    後端近傍の左右両脇縁部
２１８    防水布２１３の左右の両脇縁部
２２２    前身頃
２２３    後身頃
２２４    第１のクロッチ部片
２２４ａ  第１のクロッチ部片２２４の前端縁
２２４ｂ  第１のクロッチ部片２２４の後端縁
２２５    保持布片（第２のクロッチ部片）
２２５ａ  第２のクロッチ部片２２５の前端縁
２２５ｂ  第２のクロッチ部片２２５の後端縁
２２５ｃ  第２のクロッチ部片２２５の左脇縁
２２５ｄ  第２のクロッチ部片２２５の右脇縁
２２５ｅ  伸縮性の網織布
２２５ｆ  防水布
２２５ｇ  伸縮性の網織布
２２６    ストレッチテープ
２２６ａ  ストレッチテープ２２６の前端縁
２２６ｂ  ストレッチテープ２２６の後端縁
２２６ｃ  ストレッチテープ２２６の左脇縁
２２６ｄ  ストレッチテープ２２６の右脇縁
【図１】
0004330819.tif 000002
【図２】
0004330819.tif 000003
【図３】
0004330819.tif 000004
【図４】
0004330819.tif 000005
【図５】
0004330819.tif 000006
【図６】
0004330819.tif 000007
【図７】
0004330819.tif 000008
【図８】
0004330819.tif 000009
【図９】
0004330819.tif 000010
【図１０】
0004330819.tif 000011
【図１１】
0004330819.tif 000012
【図１２】
0004330819.tif 000013
【図１３】
0004330819.tif 000014
【図１４】
0004330819.tif 000015
【図１５】
0004330819.tif 000016
【図１６】
0004330819.tif 000017
【図１７】
0004330819.tif 000018
【図１８】
0004330819.tif 000019
【図１９】
0004330819.tif 000020
【図２０】
0004330819.tif 000021
【図２１】
0004330819.tif 000022
【図２２】
0004330819.tif 000023
【図２３】
0004330819.tif 000024
【図２４】
0004330819.tif 000025
【図２５】
0004330819.tif 000026
【図２６】
0004330819.tif 000027
【図２７】
0004330819.tif 000028
【図２８】
0004330819.tif 000029
【図２９】
0004330819.tif 000030